(57)【特許請求の範囲】
【請求項１】
被写体を撮影する撮影モードと、位置情報入力装置より線画などのメモ情報を入力するメモ入力モードとを備える情報処理装置であって、
前記撮影モードと前記メモ入力モードとを選択するモード選択手段と、
前記モード選択手段を制御する制御手段と、
前記位置情報入力装置より入力がなされたことを検出する検出手段とを備え、  前記モード選択手段によって前記撮影モードが選択されている場合に、前記位置情報入力装置より入力がなされたことを前記検出手段が検出した場合には、前記制御手段は、前記モード選択手段を制御して前記メモ入力モードを選択させる  ことを特徴とする情報処理装置。
【請求項２】
前記撮影モードにおいて被写体が撮影された場合には、前記制御手段は、撮影された画像に対する所定の処理が終了するまで、前記モード選択手段による前記メモ入力モードの選択を停止する
ことを特徴とする請求項１に記載の情報処理装置。
【請求項３】
前記撮影された画像に対する所定の処理が終了した場合には、前記制御手段は、メモ情報の入力を許可することを示すメッセージを表示装置に対して出力する
ことを特徴とする請求項２に記載の情報処理装置。
【請求項４】
被写体の画像を表示する表示装置を有し、前記撮影モードにおいて被写体が撮影されてから所定の時間内に前記メモ入力モードより入力が開始されたメモ情報は、前記撮影モードにおいて撮影された前記被写体の画像と重畳されて前記表示装置に出力される
ことを特徴とする請求項１乃至３の何れかに記載の情報処理装置。
【請求項５】
被写体の画像を表示する表示装置を有し、前記撮影モードにおいて被写体が撮影されてから画像処理時間内に前記メモ入力モードより入力が開始されたメモ情報は、前記撮影モードにおいて撮影された前記被写体の画像と重畳されて前記表示装置に出力される
ことを特徴とする請求項１乃至３の何れかに記載の情報処理装置。
【請求項６】
被写体の画像を記録する記録装置を有し、前記表示装置に重畳されて出力された前記被写体の画像と前記メモ情報は、相互に関連づけられて前記記録装置に記録される
ことを特徴とする請求項４または５に記載の情報処理装置。
【請求項７】
前記位置情報入力装置は、タッチタブレットにより構成されている
ことを特徴とする請求項１乃至６の何れかに記載の情報処理装置。
【請求項８】
前記位置情報入力装置は、タッチタブレットにより構成され、前記表示装置と重畳されて配置されている
ことを特徴とする請求項４または５に記載の情報処理装置。
【請求項９】
被写体を撮影する撮影モードと、情報入力装置により音声データを入力する情報入力モードとを備える情報処理装置であって、
前記撮影モードと前記情報入力モードとを選択するモード選択手段と、
前記モード選択手段を制御する制御手段と、
前記情報入力装置より入力がなされたことを検出する検出手段とを備え、前記モード選択手段によって前記撮影モードが選択されている場合に、前記情報入力装置より入力がなされたことを前記検出手段が検出した場合には、前記制御手段は、前記モード選択手段を制御して前記情報入力モードを選択させる
ことを特徴とする情報処理装置。
【請求項１０】
被写体を撮影する撮影モードと、メモ情報を入力する情報入力モードとを備える情報処理装置であって、
前記撮影モードで撮影された画像を記録する記録装置を有し、前記記録装置に前記画像の記録が終了後、所定の時間内に、前記情報入力モードにより入力されたメモ情報を、前記画像と相互に関連付けて前記記録装置に記録する
ことを特徴とする情報処理装置。
【請求項１１】
被写体を撮影する撮影モードと、音声データを入力する情報入力モードとを備える情報処理装置であって、
前記撮影モードで撮影された画像を記録する記録装置を有し、前記記録装置に前記画像の記録が終了後、所定の時間内に、前記情報入力モードにより入力された音声データを、前記画像と相互に関連付けて前記記録装置に記録する
ことを特徴とする情報処理装置。
【発明の詳細な説明】
【０００１】
【発明の属する技術分野】
本発明は、情報処理装置に関し、特に、被写体を撮影する撮影モードと、位置情報入力装置より線画などのメモ情報を入力するメモ入力モードとを備える情報処理装置に関する。
【０００２】
【従来の技術】
近年、半導体装置の集積技術や、電子回路の実装技術の進歩等に伴って、被写体の画像だけではなく、メモや音声などの情報も同時に記録可能な電子カメラが実現されつつある。
【０００３】
このような電子カメラ等においては、被写体の画像、メモ、または音声などの情報が適宜組み合わされて記録単位が構成され、記録単位毎にメモリなどに記録されるようになされている。
【０００４】
【発明が解決しようとする課題】
以上のような電子カメラ等において、例えば、撮影を行った後に被写体の画像に対してメモなどを書き込もうとする場合、例えば、入力モードの切り換えを行うための操作が煩雑となるという課題があった。
【０００５】
また、撮影画像に対しては、例えば、画像圧縮処理などを施す必要があるが、このような画像処理を実行している最中に、例えば、メモなどの入力を行おうとすると、ＣＰＵ（Central Processing Unit）が同時に２つの処理を並行して実行する必要が生ずる。このような場合、画像処理に必要な時間が長くなるだけではなく、電子カメラのＣＰＵの処理能力が余り高くない場合には、操作性が低下するという課題もあった。
【０００６】
本発明は、以上のような状況に鑑みてなされてものであり、電子カメラ等の情報処理装置において、入力モードの切り換えに関する操作性を向上させるとともに、例えば、ＣＰＵの処理能力が余り高くない場合でも快適な操作環境を実現することを可能とするものである。
【０００７】
【課題を解決するための手段】
本発明の第１の情報処理装置は、撮影モードとメモ入力モードとを選択するモード選択手段と、モード選択手段を制御する制御手段と、位置情報入力装置より入力がなされたことを検出する検出手段とを備え、モード選択手段によって撮影モードが選択されている場合に、位置情報入力装置より入力がなされたことを検出手段が検出した場合には、制御手段は、モード選択手段を制御してメモ入力モードを選択させることを特徴とする。
本発明の第２の情報処理装置は、被写体を撮影する撮影モードと、情報入力装置により音声データを入力する情報入力モードとを備える情報処理装置であって、撮影モードと情報入力モードとを選択するモード選択手段と、モード選択手段を制御する制御手段と、情報入力装置より入力がなされたことを検出する検出手段とを備え、モード選択手段によって撮影モードが選択されている場合に、情報入力装置より入力がなされたことを検出手段が検出した場合には、制御手段は、モード選択手段を制御して情報入力モードを選択させることを特徴とする。
本発明の第３の情報処理装置は、被写体を撮影する撮影モードと、メモ情報を入力する情報入力モードとを備える情報処理装置であって、撮影モードで撮影された画像を記録する記録装置を有し、記録装置に画像の記録が終了後、所定の時間内に、情報入力モードにより入力されたメモ情報を、画像と相互に関連付けて記録装置に記録することを特徴とする。
本発明の第４の情報処理装置は、被写体を撮影する撮影モードと、音声データを入力する情報入力モードとを備える情報処理装置であって、撮影モードで撮影された画像を記録する記録装置を有し、記録装置に画像の記録が終了後、所定の時間内に、情報入力モードにより入力された音声データを、画像と相互に関連付けて記録装置に記録することを特徴とする。
【０００８】
【発明の実施の形態】
以下、本発明の実施例を図面を参照して説明する。
【０００９】
図１及び図２は、本発明を適用した電子カメラの一実施例の構成を示す斜視図である。本実施例の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、及び被写体を照明する光を発光する発光部（ストロボ）４が設けられている。
【００１０】
さらに、面Ｘ１には、ストロボ４を発光させて撮影を行うときに、ストロボ４を発光させる前に発光させて赤目を軽減する赤目軽減ランプ１５、ＣＣＤ２０（図４）の動作を停止させているときに測光を行う測光素子１６、および、ＣＣＤ２０の動作を停止させているときに測色を行う測色素子１７が設けられている。
【００１１】
一方、面Ｘ１に対向する面Ｘ２の上端部（面Ｘ１のファインダ２、操作レンズ３、発光部４が形成されている上端部に対応する位置）には、上記ファインダ２、及びこの電子カメラ１に記録されている音声を出力するスピーカ５が設けられている。また、面Ｘ２に形成されているＬＣＤ６及び操作キー７は、ファインダ２、撮影レンズ３、発光部４及びスピーカ５よりも、鉛直下側に形成されている。ＬＣＤ６の表面上には、後述するペン型指示装置の接触操作により、指示された位置に対応する位置データを出力する、いわゆるタッチタブレット６Ａ（検出手段）が配置されている。
【００１２】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００１３】
操作キー７は、ＬＣＤ６に記録データを再生表示する場合などに操作されるキーであり、ユーザによる操作（入力）を検知し、ＣＰＵ３９（図６）に供給するようになされている。
【００１４】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００１５】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００１６】
面Ｘ２には、ＬＣＤ６を使用していないときに保護する、しゅう動自在なＬＣＤカバー１４が設けられている。ＬＣＤカバー１４は、鉛直上方向に移動させた場合、図３に示すように、ＬＣＤ６及びタッチタブレット６Ａを覆うようになされている。また、ＬＣＤカバー１４を鉛直下方向に移動した場合、ＬＣＤ６及びタッチタブレット６Ａが現れるとともに、ＬＣＤカバー１４の腕部１４Ａによって、面Ｙ２に配置された電源スイッチ１１（後述）がオン状態に切り換えられるようになされている。
【００１７】
この電子カメラ１の上面である面Ｚには、音声を集音するマイクロホン８、及び図示せぬイヤホンが接続されるイヤホンジャック９が設けられている。
【００１８】
左側面（面Ｙ１）には、被写体を撮像するときに操作されるレリーズスイッチ１０と、撮影時の連写モードを切り換えるときに操作される連写モード切り換えスイッチ１３が設けられている。このレリーズスイッチ１０及び連写モード切り換えスイッチ１３は、面Ｘ１の上端部に設けられているファインダ２、撮影レンズ３及び発光部４よりも鉛直下側に配置されている。
【００１９】
一方、面Ｙ１に対向する面Ｙ２（右側面）には、音声を録音するときに操作される録音スイッチ１２と、電源スイッチ１１が設けられている。この録音スイッチ１２及び電源スイッチ１１は、上記レリーズスイッチ１０及び連写モード切り換えスイッチ１３と同様に、面Ｘ１の上端部に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００２０】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００２１】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００２２】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００２３】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００２４】
次に、電子カメラ１の内部の構成について説明する。図４は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００２５】
ファインダ内表示素子２６は、ファインダ２の視野内に配置され、ファインダ２を介して被写体を視ているユーザに対して、各種機能の設定状態などを表示するようになされている。
【００２６】
ＬＣＤ６の鉛直下側には、円柱形状の４本のバッテリ（単３の乾電池）２１が縦に並べられており、このバッテリ２１に蓄積されている電力が各部に供給される。さらに、ＬＣＤ６の鉛直下側には、バッテリ２１とともに、発光部４に光を発光させるための電荷を蓄積しているコンデンサ２２が配置されている。
【００２７】
回路基板２３には、この電子カメラ１の各部を制御する、種々の制御回路が形成されている。また、回路基板２３と、ＬＣＤ６及びバッテリ２１の間には、挿抜可能なメモリカード２４が設けられており、この電子カメラ１に入力される各種の情報が、それぞれ、メモリカード２４の予め設定されている領域に記録される。
【００２８】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００２９】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１及びＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１及びＬＣＤスイッチ２５がオフ状態になっているとき、ＬＣＤカバー１４が開かれると、図５（ａ）に示すように、電源スイッチ１１及びＬＣＤスイッチ２５がオン状態となる。そして、この後、ＬＣＤカバー１４を閉じると、ＬＣＤスイッチ２５だけが、図５（ｃ）に示すように、オフ状態となる。
【００３０】
なお、本実施例においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００３１】
次に、本実施例の電子カメラ１の内部の電気的構成を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００３２】
画像処理部３１は、ＣＰＵ３９（モード選択手段、制御手段、検出手段）に制御され、ＣＣＤ２０が光電変換した画像信号を所定のタイミングでサンプリングし、そのサンプリングした信号を、所定のレベルに増幅するようになされている。アナログ／デジタル変換回路（以下、Ａ／Ｄ変換回路という）３２は、画像処理部３１でサンプリングした画像信号をデジタル化してＤＳＰ３３に供給するようになされている。
【００３３】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００３４】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００３５】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００３６】
この他、ＤＳＰ３３は、メモリカード２４への記録、伸張後の画像データのバッファメモリ３６への記憶などにおけるデータ入出力のタイミング管理を行うようになされている。
【００３７】
バッファメモリ３６は、メモリカード２４に対するデータの入出力の速度と、ＣＰＵ３９やＤＳＰ３３などにおける処理速度の違いを緩和するために利用される。
【００３８】
マイクロホン８は、音声情報を入力し（音声を集音し）、その音声情報をＡ／ＤおよびＤ／Ａ変換回路４２に供給するようになされている。
【００３９】
Ａ／ＤおよびＤ／Ａ変換回路４２は、マイクロホン８により検出された音声に対応するアナログ信号をデジタル信号に変換した後、そのデジタル信号をＣＰＵ３９に出力するとともに、ＣＰＵ３９より供給された音声データをアナログ化し、アナログ化した音声信号をスピーカ５に出力するようになされている。
【００４０】
測光素子１６は、被写体およびその周囲の光量を測定し、その測定結果を測光回路５１に出力するようになされている。
【００４１】
測光回路５１は、測光素子１６より供給された測光結果であるアナログ信号に対して所定の処理を施した後、デジタル信号に変換し、そのデジタル信号をＣＰＵ３９に出力するようになされている。
【００４２】
測色素子１７は、被写体およびその周囲の色温度を測定し、その測定結果を測色回路５２に出力するようになされている。
【００４３】
測色回路５２は、測色素子１７より供給された測色結果であるアナログ信号に対して所定の処理を施した後、デジタル信号に変換し、そのデジタル信号をＣＰＵ３９に出力するようになされている。
【００４４】
タイマ４５は、時計回路を内蔵し、現在の時刻に対応するデータをＣＰＵ３９に出力するようになされている。
【００４５】
絞り駆動回路５３は、絞り５４の開口径を所定の値に設定するようになされている。
【００４６】
絞り５４は、撮影レンズ３とＣＣＤ２０の間に配置され、撮影レンズ３からＣＣＤ２０に入射する光の開口を変更するようになされている。
【００４７】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態（第１の操作を行った状態）になるまで、ＣＣＤ２０の動作（例えば電子シャッタ動作）を停止させるようになされている。
【００４８】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００４９】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００５０】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００５１】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００５２】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００５３】
ＣＰＵ３９は、ストロボ駆動回路３７を制御して、ストロボ４を適宜発光させるようになされている他、赤目軽減ランプ駆動回路３８を制御して、ストロボ４を発光させる前に、赤目軽減ランプ１５を適宜発光させるようになされている。
【００５４】
なお、ＣＰＵ３９は、ＬＣＤカバー１４が開いているとき（即ち、電子ビューファインダが利用されているとき）においては、ストロボ４を発光させないようにする。このようにすることにより、電子ビューファインダに表示されている画像の状態で、被写体を撮影することができる。
【００５５】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００５６】
また、ＣＰＵ３９は、デジタル化された音声情報を圧縮した後、デジタル化及び圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００５７】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００５８】
さらに、ＣＰＵ３９は、ファインダ内表示回路４０を制御して、各種動作における設定などをファインダ内表示素子２６に表示させるようになされている。
【００５９】
ＣＰＵ３９は、インタフェース（Ｉ／Ｆ）４８を介して、所定の外部装置（図示せず）と所定のデータの授受を行うようになされている。
【００６０】
また、ＣＰＵ３９は、操作キー７からの信号を受け取り、適宜処理するようになされている。
【００６１】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述するメモ情報）を、バッファメモリ３６に蓄積するようになされている。また、ＣＰＵ３９は、バッファメモリ３６に蓄積したメモ情報を、メモ情報入力日時のヘッダ情報とともに、メモリカード２４のメモ情報記録領域に記録するようになされている。
【００６２】
次に、本実施例の電子カメラ１の各種動作について説明する。最初に、本装置のＬＣＤ６における電子ビューファインダ動作について説明する。
【００６３】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００６４】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００６５】
また、レリーズスイッチ１０が操作された場合、ＣＰＵ３９は、ＣＣＤ２０および絞り駆動回路５３の動作を行わせる。
【００６６】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００６７】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００６８】
そして、Ａ／Ｄ変換回路３２は、その画像信号（アナログ信号）を、デジタル信号である画像データに変換し、その画像データをＤＳＰ３３に出力する。
【００６９】
ＤＳＰ３３は、その画像データをフレームメモリ３５に出力し、ＬＣＤ６にその画像データに対応する画像を表示させる。
【００７０】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００７１】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００７２】
次に、本装置による被写体の撮影について説明する。
【００７３】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００７４】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態（第２の操作を行った状態）になったとき、被写体の撮影処理を開始させる。
【００７５】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００７６】
ＤＳＰ３３は、その画像データをバッファメモリ３６に一旦出力した後、バッファメモリ３６より、その画像データを読み出し、離散的コサイン変換、量子化及びハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００７７】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００７８】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００７９】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８０】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００８１】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００８２】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００８３】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【００８４】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００８５】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８６】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８７】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【００８８】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【００８９】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００９０】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【００９１】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、撮影日時のヘッダ情報を付随して、メモリカード２４の撮影画像記録領域に記録する。
【００９２】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御する。
【００９３】
次に、タッチタブレット６Ａから２次元の情報（ペン入力情報）を入力する場合の動作について説明する。
【００９４】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応したメモを表示させることができる。
【００９５】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等のメモ情報を入力する。
【００９６】
また、ＬＣＤ６上に撮影画像が表示されている場合において、ペン４１によってメモ情報が入力されると、このメモ情報が、撮影画像情報とともに、フレームメモリ３５で合成され、ＬＣＤ６上に同時に表示される。
【００９７】
なお、ユーザは、図１４に示すようなパレット１００を操作することにより、ＬＣＤ６上に表示されるメモの色を、黒、白、赤、青等の色から選択することができる。
【００９８】
ペン４１によるタッチタブレット６Ａへのメモ情報の入力後、操作キー７の実行キー７Ｂが押されると、バッファメモリ３６に蓄積されているメモ情報が、入力日時のヘッダ情報とともにメモリカード２４に供給され、メモリカード２４のメモ情報記録領域に記録される。
【００９９】
なお、メモリカード２４に記録されるメモ情報は、圧縮処理の施された情報である。タッチタブレット６Ａに入力されたメモ情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮及び伸張に必要とされる時間が長くなってしまう。さらに、ＪＰＥＧ方式による圧縮は、非可逆圧縮であるので、情報量の少ないメモ情報の圧縮には適していない（伸張してＬＣＤ６上に表示した場合、情報の欠落に伴うギャザ、にじみが際だってしまうため）。
【０１００】
そこで、本実施例においては、ファックス等において用いられるランレングス法によって、メモ情報を圧縮するようにしている。ランレングス法とは、メモ画面を水平方向に走査し、黒、白、赤、青等の各色の情報（点）の継続する長さ、及び無情報（ペン入力のない部分）の継続する長さを符号化することにより、メモ情報を圧縮する方法である。
【０１０１】
このランレングス法を用いることにより、メモ情報を最小に圧縮することができ、また、圧縮されたメモ情報を伸張した場合においても、情報の欠落を抑制することが可能になる。なお、メモ情報は、その情報量が比較的少ない場合には、圧縮しないようにすることもできる。
【０１０２】
また、上述したように、ＬＣＤ６上に撮影画像が表示されている場合において、ペン入力を行うと、撮影画像データとペン入力のメモ情報がフレームメモリ３５で合成され、撮影画像とメモの合成画像がＬＣＤ６上に表示される。その一方で、メモリカード２４においては、撮影画像データは、撮影画像記録領域に記録され、メモ情報は、メモ情報記録領域に記録される。このように、２つの情報が、各々異なる領域に記録されるので、ユーザは、撮影画像とメモの合成画像から、いずれか一方の画像（例えばメモ）を削除することができ、さらに、各々の画像情報を個別の圧縮方法で圧縮することもできる。
【０１０３】
メモリカード２４の音声記録領域、撮影画像記録領域、またはメモ情報記録領域にデータを記録した場合、図９に示すように、ＬＣＤ６に所定の表示が行われる。
【０１０４】
図９に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【０１０５】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時０５分」、「１０時１６分」、および「１０時２１分」に記録（入力）された情報には、撮影画像情報が含まれており、それ以外の時間に記録された情報には画像情報が含まれていない。
【０１０６】
また、メモ記号「＊」は、線画情報として所定のメモが記録されていることを表している。
【０１０７】
サムネイル画像の表示領域の右側には、音声在否マーク（音符）が表示され、その右隣りには録音時間（秒）が表示されている（音声情報が入力されていない場合には、これらは表示されない）。
【０１０８】
ユーザは、図９に示すＬＣＤ６の所望の音声在否マークを、ペン４１のペン先で押圧して再生する情報を選択指定し、図２に示す実行キー７Ｂをペン４１のペン先で押圧することにより、選択した情報を再生する。
【０１０９】
例えば、図９に示す「１０時１６分」の表示されている音声在否マークがペン４１によって押圧されると、ＣＰＵ３９は、選択された録音日時（１０時１６分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１１０】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１１１】
ＣＰＵ３９は、選択された撮影日時に対応する撮影画像データをメモリカード２４から読み出すように、ＤＳＰ３３に指示する。ＤＳＰ３３は、メモリカード２４より読み出された撮影画像データ（圧縮されている撮影画像データ）を伸張し、この撮影画像データをビットマップデータとしてフレームメモリ３５に蓄積させ、ＬＣＤ６に表示させる。
【０１１２】
Ｓモードで撮影された画像は、ＬＣＤ６上に、静止画像として表示される。この静止画像は、ＣＣＤ２０の全ての画素の画像信号を再生したものであることはいうまでもない。
【０１１３】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１１４】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１１５】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１１６】
さらに、本実施例においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１１７】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１１８】
本実施例においては、Ｌモード及びＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【０１１９】
ところで、本実施の形態においては、既述のように、被写体の光画像を撮影するだけでなく、メモ（線画）情報を記録することも可能である。本実施の形態においては、これらの情報を入力するモード（撮影モードおよびメモ入力モード）を具備しており、ユーザの操作に応じてこれらのモードが適宜選択され、情報の入力がスムーズに実行されるようになされている。
【０１２０】
図１０は、本実施の形態において実行される処理の一例を説明するフローチャートである。
【０１２１】
先ず、電子カメラ１の電源スイッチ１１が操作されることにより電源が投入されると、撮影モードとなり、ＣＣＤ２０から出力される映像がＬＣＤ６に表示されることになる。そして、ＣＰＵ３９は、図１０に示す処理を実行することになる。
【０１２２】
この処理が実行されると、電子カメラ１のＣＰＵ３９は、ステップＳ１において、変数ｃｈｋを“０”に初期設定する。そして、ステップＳ２に進む。
【０１２３】
ステップＳ２では、ＣＰＵ３９は、タッチタブレット６Ａが操作されたか否かを判定する。その結果、タッチタブレット６Ａが操作されていない（ＮＯ）と判定した場合にはステップＳ２に戻り、タッチタブレット６Ａが操作されるまで同様の処理を繰り返す。また、タッチタブレット６Ａが操作された（ＹＥＳ）と判定した場合は、ステップＳ３に進む。
【０１２４】
ステップＳ３では、ＣＰＵ３９は、所定の時間内（例えば、５秒以内）に撮影が実行されたか否かを判定する。その結果、所定の時間内に撮影が実行されていない（ＮＯ）と判定した場合には、ステップＳ４に進み、メモ通常入力モード（後述する）を開始した後、ステップＳ７に進む。一方、所定の時間内に撮影が実行された（ＹＥＳ）と判定した場合には、ステップＳ５に進む。
【０１２５】
ステップＳ５では、ＣＰＵ３９は、変数ｃｈｋに“１”を代入し、ステップＳ６に進む。ステップＳ６では、ＣＰＵ３９は、メモ重畳入力モード（後述する）を開始した後、ステップＳ７に進む。
【０１２６】
なお、メモ通常入力モードは、撮影画像とは独立にメモのみを入力するモードである。このメモ通常入力モードでは、ＬＣＤ６のバックグラウンドカラーが青色とされ、入力されたメモは、独自のヘッダ情報を付与されてメモリカード２４に格納されることになる。一方、メモ重畳入力モードは、直前に撮影された撮影画像に対して、メモを書き込む（重畳する）ことが可能なモードである。このモードでは、ＬＣＤ６には、直前に撮影された撮影画像が表示されており、ペン４１により入力されたメモ（線画）は、撮影画像に重畳されて表示されることになる。
【０１２７】
ステップＳ７では、ＣＰＵ３９は、実行（ＥＸＥＣ）キー７Ｂが押圧されたか否かを判定する。その結果、実行キー７Ｂが押圧されていない（ＮＯ）と判定した場合は、ステップＳ７に戻り、実行キー７Ｂが押圧されるまで同様の処理を繰り返す。また、実行キー７Ｂが押圧された（ＹＥＳ）と判定した場合には、ステップＳ８に進むことになる。
【０１２８】
ステップＳ８では、ＣＰＵ３９は、変数ｃｈｋの値が“１”であるか否かを判定する。その結果、変数ｃｈｋの値が“０”である（メモ通常入力モードである：ＮＯ）と判定した場合には、ステップＳ９に進む。そして、ＣＰＵ３９は、タッチタブレット６Ａから入力されてバッファメモリ３６に格納されているメモ情報に対してランレングス圧縮を施した後、ヘッダ情報を付与してメモリカード２４の所定の領域に格納する。そして、処理を終了することになる（エンド）。処理が終了した後は、ＣＰＵ３９は撮影モードに復帰する。
【０１２９】
一方、ステップＳ８において、変数ｃｈｋの値が“１”である（ＹＥＳ）と判定された場合には、ステップＳ１０に進む。ステップＳ１０では、ＣＰＵ３９は、タッチタブレット６Ａから入力されてバッファメモリ３６に格納されているメモ情報に対してランレングス圧縮を施した後、直前に撮影された撮影画像と同一のヘッダ情報を付与し（これら２つの情報が同一の記録単位であることを示す）、メモリカード２４の所定の領域に格納する。そして、処理を終了する（エンド）。前述の場合と同様に、処理が終了した後は、ＣＰＵ３９は撮影モードに復帰する。
【０１３０】
次に、以上の処理を具体例を挙げて説明する。
【０１３１】
いま、図１２に示すような画像が撮影されたとし、その直後にタッチタブレット６Ａがペン４１により操作（押圧）されたとする。すると、ＣＰＵ３９は、ステップＳ１において変数ｃｈｋを“０”に初期設定した後、ステップＳ２において、タッチタブレット６Ａが操作された（ＹＥＳ）と判定してステップＳ３に進むことになる。
【０１３２】
ステップＳ３では、所定の時間内（例えば、タッチタブレット６Ａが操作される直前の５秒以内）に撮影が実行されたか否かが判定される。いま、図１２に示す画像が撮影された直後に、タッチタブレット６Ａが押圧されているので、ステップＳ３では、ＹＥＳと判定されステップＳ５に進む。
【０１３３】
ステップＳ５では、変数ｃｈｋに“１”が代入された後、ステップＳ６に進む。そして、メモ重畳入力モードが開始されることになる。このモードが開始されると、図１３に示すように、直前に撮影された撮影画像の上にペン４１によりメモを入力することが可能となる。この表示例では、図１２に示す撮影画像に「山田さん一家」という文字が重畳されて入力されている。なお、このような入力を行う際、画面右上に表示されているパレット１００を操作することにより、メモの表示色を変更することができる。
【０１３４】
続くステップＳ７では、ＣＰＵ３９は、実行キー７Ｂが押圧されたか否かを判定する。いま、実行キー７Ｂが押圧されたとすると、ＣＰＵ３９は、ＹＥＳと判定し、ステップＳ８に進む。
【０１３５】
いま、ｃｈｋ＝１であるので、ステップＳ８ではＹＥＳと判定され、ステップＳ１０に進む。
【０１３６】
ステップＳ１０では、ＣＰＵ３９は、バッファメモリ３６に格納されているメモ情報に対して、ランレングス圧縮を施した後、図１２に示す撮影画像と同一のヘッダ情報を付与して、メモリカード２４の所定の領域に格納する。そして、処理を終了する（エンド）。
【０１３７】
以上のようにして記録された情報（撮影画像とメモ情報）を一覧表示した場合は、図９の最上段の「１０時０５分」の情報のように、サムネイル画像とメモ記号とが表示されることになる。即ち、これらの２つの情報が同一の記録単位として扱われることになる。従って、この情報を再生すると、図１３に示すように撮影画像とメモが重畳された画像が表示されることになる。
【０１３８】
なお、ステップＳ３において、所定の時間内に撮影が実行されていない（ＮＯ）と判定された場合には、ステップＳ４に進み、メモ通常入力モードが開始されることになるが、その場合は、図１４に示すような表示がなされることになる。
【０１３９】
即ち、メモ通常入力モードでは、ＬＣＤ６のバックグラウンドカラーが青色とされ、ペン４１により、メモを入力することが可能とされる。なお、この表示例において、画面左上端に表示されているパレット１００は、入力されるメモの色を変更するためのものであり、この中から所望の色を選択すると、入力されるメモの色が選択された色に変更されることになる。また、このパレット１００は、ペン入力の障害とならないように、ペン４１がパレット１００に接近すると、例えば、ペン４１から最も離れた場所に移動（再表示）するようになされている。この表示例では、ペン４１が接近したため、図中右下に示すパレット１００（破線で示す）が、図中右上に移動している。なお、入力される線の色を変更する際には、ペン４１を一旦タッチタブレット６Ａから離した後、パレット１００を直接押圧することになる。
【０１４０】
このようなメモ通常入力モードにおいて入力されたメモ情報は、実行キー７Ｂを押圧することにより、メモリカード２４の所定の領域に格納されることになる。即ち、実行キー７Ｂが押圧されると、ステップＳ７においてＹＥＳと判定され、また、ステップＳ８において、ＮＯ（ｃｈｋ≠１）と判定され、ステップＳ９に進む。そして、ステップＳ９では、ＣＰＵ３９は、バッファメモリ３６に格納されているメモ情報に対してランレングス圧縮を施した後、ヘッダ情報を付与してメモリカード２４の所定の領域に格納することになる。なお、このようにして格納されたメモ情報を一覧表示した場合には、図９に示す、例えば、「１０時２８分」の情報のように、撮影時間と共にメモ記号「＊」だけが表示されることになる（メモだけの情報となる）。
【０１４１】
なお、本実施の形態では、タッチタブレット６Ａが所定の時間（例えば、１分）以上操作されない場合には、省電力化のために、ＬＣＤ６の表示を停止するようになされている。従って、ステップＳ４のメモ通常入力モード、または、ステップＳ５のメモ重畳入力モードが実行されている際に、例えば、所定の時間以上タッチタブレット６Ａが操作されない場合には、ＬＣＤ６の表示が停止されることになる。しかしながら、再度タッチタブレット６Ａが操作されると、ＬＣＤ６の表示が停止される直前に入力されていたメモ情報と、撮影画像とが再度表示され、入力を継続することが可能とされている。
【０１４２】
以上の実施例では、撮影が行われた後、所定の時間内にタッチタブレット６Ａが操作された場合に、メモ重畳入力モードになるようにしたが、例えば、画像に対する所定の処理（例えば、画像圧縮処理）などが実行されている際に、タッチタブレット６Ａが操作された場合に、メモ重畳入力モードになるようにしてもよい。
【０１４３】
図１１は、画像処理の実行中にタッチタブレット６Ａが操作された場合には、メモ重畳入力モードになる処理の一例を説明するフローチャートである。
【０１４４】
なお、この図において、図１０の場合と同一の部分には、同一の符号が付してあるので、その説明は省略する。
【０１４５】
この処理では、図１０におけるステップＳ３の処理が変更され、ステップＳ２０とされている。その他の処理は、図１０における場合と同様である。
【０１４６】
ステップＳ２０では、ＣＰＵ３９は、画像処理（例えば、画像圧縮処理）が実行されているか否かを判定する。その結果、画像圧縮処理が実行されている（ＹＥＳ）と判定した場合は、ステップＳ５に進む。また、画像圧縮処理が実行されていない（ＮＯ）と判定した場合にはステップＳ４に進む。なお、その他の処理は図１０における場合と同様であるので、その説明は省略する。
【０１４７】
以上のような処理によれば、画像圧縮の処理時間（例えば、１秒乃至７秒）をメモ重畳入力の受け付け時間とすることにより、モード切り換えに関する煩雑な操作を省略することが可能となる。なお、画像圧縮処理だけではなく、例えば、圧縮された画像データがメモリカード２４に格納されるまでの時間を含めて画像処理時間とし、タッチタブレット６Ａが操作された際に、この画像処理が実行されている場合（ＹＥＳ）には、ステップＳ５に進むようにしてもよい。
【０１４８】
ところで、以上の実施の形態では、撮影画像の圧縮処理が実行されている間もしくは圧縮処理を含む所定時間内にタッチタブレット６Ａが操作された場合に、メモ重畳入力モードが実行されるようにした。しかしながら、ＣＰＵ３９の処理能力が低い場合を想定して、撮影画像の圧縮処理が実行されている際には、タッチタブレット６Ａからの入力を禁止し、ＣＰＵ３９を画像圧縮処理に専念させるようにしてもよい。
【０１４９】
図１５は、ＣＰＵ３９を画像圧縮処理に専念させることを可能とする処理の一例を説明するフローチャートである。
【０１５０】
この処理が実行されると、ステップＳ３０において、ＣＰＵ３９は、変数ｃｈｋを“０”に初期設定する。そして、ステップＳ３１に進み、撮影画像の処理中（例えば、画像圧縮処理中）であるか否かを判定する。その結果、撮影画像の圧縮処理中である（ＹＥＳ）と判定した場合にはステップＳ３２に進み、また、撮影画像の圧縮処理中ではない（ＮＯ）と判定した場合にはステップＳ３５に進む。
【０１５１】
撮影画像の処理中である場合には、ステップＳ３２に進み、ＣＰＵ３９は、画像処理が終了したか否かを判定する。その結果、画像処理が終了していない（ＮＯ）と判定した場合には、ステップＳ３２に戻り、画像処理が終了するまで同様の処理を繰り返す。また、画像処理が終了した（ＹＥＳ）と判定した場合には、ステップＳ３３に進むことになる。
【０１５２】
ステップＳ３３では、ＣＰＵ３９は、変数ｃｈｋに“１”を代入し、ステップＳ３４に進む。ステップＳ３４では、ＣＰＵ３９は、ＬＣＤ６に所定の時間だけメッセージ（例えば、文字“Ｍ”など）を表示し、ステップＳ３５に進む。
【０１５３】
ステップＳ３５では、ＣＰＵ３９は、所定の時間内（メッセージがＬＣＤ６上に表示されている間）に、タッチタブレット６Ａが操作されたか否かを判定する。その結果、所定の時間内にタッチタブレット６Ａが操作された（ＹＥＳ）と判定した場合にはステップＳ３６に進み、また、所定の時間内にタッチタブレット６Ａが操作されていない（ＮＯ）と判定した場合には、処理を終了する（エンド）。
【０１５４】
なお、直前に撮影が行われていない場合（ｃｈｋ＝０の場合）においても、メッセージがＬＣＤ６上に表示されている期間に対応する時間内にタッチタブレット６Ａが押圧されたか否かが判定される。
【０１５５】
ステップＳ３６では、ＣＰＵ３９は、変数ｃｈｋの値が“１”であるか否か（直前に撮影が行われたか否か）を判定する。その結果、変数ｃｈｋの値が“０”である（直前に撮影が行われていない：ＮＯ）と判定した場合は、ステップＳ３７に進む。ステップＳ３７では、ＣＰＵ３９は、メモ通常入力モードを開始し、ステップＳ３９に進む。
【０１５６】
一方、ステップＳ３６において、変数ｃｈｋの値が“１”である（直前に撮影が行われた：ＹＥＳ）と判定された場合は、ステップＳ３８に進む。ステップＳ３８では、ＣＰＵ３９は、メモ重畳入力モードを開始し、ステップＳ３９に進む。
【０１５７】
ステップＳ３９では、ＣＰＵ３９は、実行キー７Ｂが押圧されたか否かを判定する。その結果、実行キー７Ｂが押圧されていない（ＮＯ）と判定した場合には、ステップＳ３９に戻り、実行キー７Ｂが押圧されるまで同様の処理を繰り返す。また、実行キー７Ｂが押圧された（ＹＥＳ）と判定した場合には、ステップＳ４０に進む。
【０１５８】
ステップＳ４０では、ＣＰＵ３９は、変数ｃｈｋの値が“１”であるか否かを判定する。その結果、変数ｃｈｋの値が“０”である（ＮＯ）と判定した場合は、ステップＳ４１に進み、バッファメモリ３６に格納されているメモ情報に対してランレングス圧縮を施し、所定のヘッダ情報を付与した後、メモリカード２４の所定の領域に格納する。
【０１５９】
また、ステップＳ４０において、変数ｃｈｋの値が“１”である（ＹＥＳ）と判定された場合には、ステップＳ４２に進む。ステップＳ４２では、ＣＰＵ３９は、バッファメモリ３６に格納されているメモ情報に対してランレングス圧縮を施した後、撮影画像と同一のヘッダ情報を付与した後、メモリカード２４の所定の領域に格納する。
【０１６０】
次に、以上の処理を具体例を挙げて説明する。
【０１６１】
いま、図１６に示すような画像が撮影され、画像処理が実行されている最中に図１５に示す処理が実行されたとする。その場合、ステップＳ３０において、変数ｃｈｋが“０”に初期設定された後、ステップＳ３１において、撮影画像の処理中である（ＹＥＳ）と判定され、ステップＳ３２に進むことになる。
【０１６２】
なお、画像処理は、例えば、撮影画像を圧縮する画像圧縮処理や、圧縮された画像をメモリカード２４に転送する転送処理などにより構成されているが、ステップＳ３１およびステップＳ３２では、ＣＰＵ３９に比較的負担がかかる処理（例えば、画像圧縮処理）を対象とするようにしてもよい。即ち、転送処理が実行されている最中であっても、画像圧縮処理が終了した場合には、ステップＳ３２においてＹＥＳ（画像処理が終了した）と判定し、メモの入力を開始するようにしてもよい。
【０１６３】
ステップＳ３２では、ＣＰＵ３９は、画像処理が終了するまで待機した後、ステップＳ３３に進む。ステップＳ３３では、ＣＰＵ３９は、変数ｃｈｋに“１”を代入した後、ステップＳ３４に進み、図１７に示すように、ＬＣＤ６の左上端に文字“Ｍ”を所定の時間だけ表示させる。なお、文字“Ｍ”の代わりに、例えば、図１８の左上端に表示されているペンを象ったアイコンなどを表示するようにしてもよい。
【０１６４】
なお、図１７では図示していないが、表示画面の左上にパレット１００が表示されるようにしても良い。これは、文字“Ｍ”が背景などの影響により見にくくなる場合が想定されるので、そのような場合においても、メモ重畳入力モードの選択が可能な状態であることを示すためにパレット１００を同時に表示するようにしても良い。また、パレット１００を同時に表示することにより、文字“Ｍ”の意味（メモ重畳入力モードの選択が可能な状態であること）がより明確に理解される。勿論、図１８の場合においても、ペンを象ったアイコンと共にパレット１００を表示するようにしてもよい。
【０１６５】
続くステップＳ３５では、ＣＰＵ３９は、所定の時間内（文字“Ｍ”またはアイコン（ペン）が表示されている間）にタッチタブレット６Ａが操作されたか否かを判定する。その結果、所定の時間内に、タッチタブレット６Ａが操作された（ＹＥＳ）と判定した場合には、ステップＳ３６に進む。また、所定の時間内にタッチタブレット６Ａが操作されていない（ＮＯ）と判定した場合には処理を終了する。
【０１６６】
ステップＳ３６では、ＣＰＵ３９は、変数ｃｈｋの値が“１”であるか否かを判定する。いま、ｃｈｋ＝１であるので、ステップＳ３６ではＹＥＳと判定されてステップＳ３８に進み、メモ重畳入力モードが実行される。その結果、図１９に示すように、撮影画像に重畳してメモを入力することが可能となる。なお、このような入力を行う際、メモの表示色は、画面左上に表示されているパレット１００を操作することにより変更することが可能である。
【０１６７】
そして、メモの入力が終了した後、実行キー７Ｂが押圧されると、ステップＳ３９において、ＹＥＳと判定され、ステップＳ４０に進む。
【０１６８】
ステップＳ４０では、変数ｃｈｋの値が“１”であるか否かが判定される。いま、ｃｈｋ＝１である（撮影が行われている）ので、ＹＥＳと判定され、ステップＳ４２に進む。
【０１６９】
ステップＳ４２では、ＣＰＵ３９は、バッファメモリ３６に格納されているメモ情報に対してランレングス圧縮を施した後、図１６に示す撮影画像と同一のヘッダ情報を付与して、メモリカード２４の所定の領域に格納する。このようにして記録された情報を一覧表示すると、図９に示す「１０時０５分」の情報のように、メモ記号とサムネイル画像とが表示されることになる。即ち、これらの情報は、同一の記録単位としてメモリカード２４に格納されることになる。従って、この情報を再生する場合には、図１９に示すように、メモ情報と撮影画像とが重畳されて表示されることになる。
【０１７０】
なお、撮影が行われていない場合にタッチタブレット６Ａが操作されたときには、ステップＳ３１においてＮＯと判定された後、ステップＳ３５において、ＹＥＳと判定される。そして、ステップＳ３６では、ｃｈｋ≠１であることから、ステップＳ３７に進み、メモ通常入力モードが開始されることになる。
【０１７１】
このメモ通常入力モードは、図１４に示す場合と同様に、メモ情報だけが入力されるモードである。
【０１７２】
このメモ通常入力モードにおいてメモが入力された後、実行キー７Ｂが押圧されると、ステップＳ３９において、ＹＥＳと判定された後、ステップＳ４０において、ＮＯ（ｃｈｋ≠１：撮影が行われていない）と判定され、ステップＳ４１に進む。ステップＳ４１では、ＣＰＵ３９は、バッファメモリ３６に格納されているメモ情報に対して、ランレングス圧縮を施し、所定のヘッダ情報を付与した後、メモリカード２４の所定の領域に格納することになる。なお、このようにして格納された情報を一覧表示すると、図９に示す「１０時２８分」の情報のように、記録時間とメモ記号のみが表示されることになる。
【０１７３】
図２２は、音声データ入力のための処理の一例を説明するフローチャートである。
【０１７４】
この処理が実行されると、ステップＳ５０において、ＣＰＵ３９は、変数ｃｈｋを“０”に初期設定する。そして、ステップＳ５１に進み、撮影画像の処理中（例えば、画像圧縮処理中）であるか否かを判定する。その結果、撮影画像の圧縮処理中である（ＹＥＳ）と判定した場合にはステップＳ５２に進み、また、撮影画像の圧縮処理中ではない（ＮＯ）と判定した場合にはステップＳ５５に進む。
【０１７５】
撮影画像の処理中である場合には、ステップＳ５２に進み、ＣＰＵ３９は、画像処理が終了したか否かを判定する。その結果、画像処理が終了していない（ＮＯ）と判定した場合には、ステップＳ５２に戻り、画像処理が終了するまで同様の処理を繰り返す。また、画像処理が終了した（ＹＥＳ）と判定した場合には、ステップＳ３３に進むことになる。
【０１７６】
ステップＳ５３では、ＣＰＵ３９は、変数ｃｈｋに“１”を代入し、ステップＳ５４に進む。ステップＳ５４では、ＣＰＵ３９は、ＬＣＤ６に所定の時間だけメッセージ（例えば、文字“Ｓ”など）を表示し、ステップＳ５５に進む。
【０１７７】
ステップＳ５５では、ＣＰＵ３９は、所定の時間内（メッセージがＬＣＤ６上に表示されている間）に、録音スイッチ１２が操作されたか否かを判定する。その結果、所定の時間内に録音スイッチ１２が操作された（ＹＥＳ）と判定した場合にはステップＳ５６に進み、また、所定の時間内に録音スイッチ１２が操作されていない（ＮＯ）と判定した場合には、処理を終了する（エンド）。
【０１７８】
なお、直前に撮影が行われていない場合（ｃｈｋ＝０の場合）においても、メッセージがＬＣＤ６上に表示されている期間に対応する時間内に録音スイッチ１２が押圧されたか否かが判定される。
【０１７９】
ステップＳ５６では、ＣＰＵ３９は、変数ｃｈｋの値が“１”であるか否か（直前に撮影が行われたか否か）を判定する。その結果、変数ｃｈｋの値が“０”である（直前に撮影が行われていない：ＮＯ）と判定した場合は、ステップＳ５７に進む。ステップＳ５７では、ＣＰＵ３９は、音声通常入力モードを開始し、ステップＳ６０に進む。
【０１８０】
一方、ステップＳ５６において、変数ｃｈｋの値が“１”である（直前に撮影が行われた：ＹＥＳ）と判定された場合は、ステップＳ５８に進む。ステップＳ５８では、ＣＰＵ３９は、音声重畳入力モードを開始し、ステップＳ６０に進む。
【０１８１】
ステップＳ６０では、ＣＰＵ３９は、変数ｃｈｋの値が“１”であるか否かを判定する。その結果、変数ｃｈｋの値が“０”である（ＮＯ）と判定した場合は、ステップＳ６１に進み、バッファメモリ３６に格納されている音声データに対し、所定のヘッダ情報を付与した後、メモリカード２４の所定の領域に格納する。
【０１８２】
また、ステップＳ６０において、変数ｃｈｋの値が“１”である（ＹＥＳ）と判定された場合には、ステップＳ６２に進む。ステップＳ６２では、ＣＰＵ３９は、バッファメモリ３６に格納されている音声データに対して、撮影画像と同一のヘッダ情報を付与した後、メモリカード２４の所定の領域に格納する。
【０１８３】
次に、以上の処理を具体例を挙げて説明する。
【０１８４】
いま、図１６に示すような画像が撮影され、画像処理が実行されている最中に図２２に示す処理が実行されたとする。その場合、ステップＳ５０において、変数ｃｈｋが“０”に初期設定された後、ステップＳ５１において、撮影画像の処理中である（ＹＥＳ）と判定され、ステップＳ５２に進むことになる。
【０１８５】
なお、画像処理は、例えば、撮影画像を圧縮する画像圧縮処理や、圧縮された画像をメモリカード２４に転送する転送処理などにより構成されているが、ステップＳ５１およびステップＳ５２では、ＣＰＵ３９に比較的負担がかかる処理（例えば、画像圧縮処理）を対象とするようにしてもよい。即ち、転送処理が実行されている最中であっても、画像圧縮処理が終了した場合には、ステップＳ５２においてＹＥＳ（画像処理が終了した）と判定し、音声の入力を開始するようにしてもよい。
【０１８６】
ステップＳ５２では、ＣＰＵ３９は、画像処理が終了するまで待機した後、ステップＳ５３に進む。ステップＳ５３では、ＣＰＵ３９は、変数ｃｈｋに“１”を代入した後、ステップＳ５４に進み、図２３に示すように、ＬＣＤ６の左上端に文字“Ｓ”を所定の時間だけ表示させる。なお、文字“Ｓ”の代わりに、例えば、図２０の左上端に表示されている音符を象ったアイコンなどを表示するようにしてもよい。
【０１８７】
続くステップＳ５５では、ＣＰＵ３９は、所定の時間内（文字“Ｓ”またはアイコン（音符）が表示されている間）に録音スイッチ１２が操作されたか否かを判定する。その結果、所定の時間内に、録音スイッチ１２が操作された（ＹＥＳ）と判定した場合には、ステップＳ５６に進む。また、所定の時間内に録音スイッチ１２が操作されていない（ＮＯ）と判定した場合には処理を終了する。
【０１８８】
ステップＳ５６では、ＣＰＵ３９は、変数ｃｈｋの値が“１”であるか否かを判定する。いま、ｃｈｋ＝１であるので、ステップＳ５６ではＹＥＳと判定されてステップＳ５８に進み、音声重畳入力モードが実行される。その結果、撮影画像と関連付けられた音声データを記録することが可能となる。
【０１８９】
ステップＳ６０では、変数ｃｈｋの値が“１”であるか否かが判定される。いま、ｃｈｋ＝１である（撮影が行われている）ので、ＹＥＳと判定され、ステップＳ６２に進む。
【０１９０】
ステップＳ６２では、ＣＰＵ３９は、バッファメモリ３６に格納されている音声データに対して、図１６に示す撮影画像と同一のヘッダ情報を付与して、メモリカード２４の所定の領域に格納する。このようにして記録された情報を一覧表示すると、図９に示す「１０時１６分」の情報のように、音声在否マークとサムネイル画像とが表示されることになる。即ち、これらの情報は、同一の記録単位としてメモリカード２４に格納されることになる。従って、この情報を再生する場合には、撮影画像の表示と同時に音声が再生されることになる。
【０１９１】
なお、撮影が行われていない場合に録音スイッチ１２が操作されたときには、ステップＳ５１においてＮＯと判定された後、ステップＳ５５において、ＹＥＳと判定される。そして、ステップＳ５６では、ｃｈｋ≠１であることから、ステップＳ５７に進み、音声通常入力モードが開始されることになる。
【０１９２】
この音声通常入力モードは、図２０に示す場合と同様に、音声データだけが入力されるモードである。
【０１９３】
この音声通常入力モードにおいてメモが入力された後、ステップＳ６０において、ＮＯ（ｃｈｋ≠１：撮影が行われていない）と判定され、ステップＳ６１に進む。ステップＳ６１では、ＣＰＵ３９は、バッファメモリ３６に格納されている音声データに対して、所定のヘッダ情報を付与した後、メモリカード２４の所定の領域に格納することになる。なお、このようにして格納された情報を一覧表示すると、図９に示す「１０時２３分」の情報のように、記録時間と音声在否マークのみが表示されることになる。
【０１９４】
なお、以上の実施の形態においては、撮影画像とメモ情報、撮影画像と音声データについてそれぞれ説明したが、メモ入力モード、音声入力モードを適宣選択するようにしてもよい。例えば、図１０のステップＳ６において、メモ重畳入力モードが開始されてから、実行キー７Ｂが押圧されるまでの間に、録音スイッチ１２が操作されると、音声入力モードになる。そして、入力された音声データは、撮影画像と同一のヘッダが付与されてメモリカード２４に記録されるようにすることも可能である。また、メモ入力中に録音スイッチ１２が操作されることにより、メモ情報と音声データを同時に入力し、撮影画像を同一のヘッダが付与されるようにすることも可能である。
【０１９５】
また、音声が再生されている場合に、メモを入力可能としてもよい。例えば、図９に示す「１０時２７分」の情報（音声のみの情報）の再生が指定されると、図２０に示すように、ＬＣＤ６の左上端に音符（２連符）のマークが表示され、音声が再生されることになる。このような場合（音声が再生されている場合）において、タッチタブレット６Ａが操作されたときは、図２１に示すように、メモ通常入力モードとなるようにして、メモの入力を可能としてもよい。なお、このようにして入力されたメモは、ランレングス圧縮処理が施された後、音声データと同一のヘッダ情報が付与されてメモリカード２４に記録する。
【０１９６】
以上のようにして記録された情報を再生すると、ＬＣＤ６にメモと音符のマークが表示されるとともに、音声が再生されることになる。
【０１９７】
なお、以上の実施の形態においては、撮影画像、メモ、音声についてのみ説明したが、他の情報に関して同様の処理を行うことが可能であることは言うまでもない。
【０１９８】
また、本発明は、上記実施の形態の電子カメラに限定されるものではなく、他の情報処理装置にも適用が可能であることは勿論である。
【０１９９】
【発明の効果】
本発明によれば、モード切り換えに関する操作性を向上させることが可能となる。
【図面の簡単な説明】
【図１】本発明を適用した電子カメラの一実施例の正面から見た場合の構成を示す斜視図である。
【図２】図１に示す電子カメラ１の背面から見た場合の構成を示す斜視図である。
【図３】ＬＣＤカバー１４を閉じた状態の電子カメラ１を示す斜視図である。
【図４】図１及び図２に示す電子カメラ１の内部の構成を示す斜視図である。
【図５】ＬＣＤカバー１４の位置と、電源スイッチ１１及びＬＣＤスイッチ２５の状態との関係を説明する図である。
【図６】図１及び図２に示す電子カメラの内部の電気的構成を示すブロック図である。
【図７】Ｌモード時における画素の間引き処理を説明する図である。
【図８】Ｈモード時における画素の間引き処理を説明する図である。
【図９】図１及び図２に示す電子カメラの表示画面の例を示す図である。
【図１０】図１に示す電子カメラにおいて実行される処理の一例を説明するフローチャートである。
【図１１】図１に示す電子カメラにおいて実行される処理の他の一例を説明するフローチャートである。
【図１２】図１０の処理が実行された場合に表示される表示画面の中間画像の写真である。
【図１３】図１０の処理が実行された場合に表示される他の表示画面の中間画像の写真である。
【図１４】メモ通常入力モードを説明する図である。
【図１５】図１に示す電子カメラにおいて実行される他の処理の一例を説明するフローチャートである。
【図１６】図１５に示す処理が実行された場合に表示される表示画面の中間画像の写真である。
【図１７】図１５に示す処理が実行された場合に表示される他の表示画面の中間画像の写真である。
【図１８】図１５に示す処理が実行された場合に表示される更に他の表示画面の中間画像の写真である。
【図１９】図１５に示す処理が実行された場合に表示される更に他の表示画面の中間画像の写真である。
【図２０】音声が再生されている場合の画面の表示例を示す図である。
【図２１】音声が再生されている場合にメモ通常入力を行った場合の表示例を示す図である。
【図２２】図１に示す電子カメラにおいて実行されるさらに他の処理の一例を説明するフローチャートである。
【図２３】図２２に示す処理が実行された場合に表示される表示画面の中間画像の写真である。
【符号の説明】
１  電子カメラ
２  ファインダ
３  撮影レンズ
４  発光部
５  スピーカ
６  ＬＣＤ
６Ａ  タッチタブレット（検出手段）
７  操作キー
７Ａ  メニューキー
７Ｂ  実行キー
７Ｃ  クリアキー
７Ｄ  キャンセルキー
７Ｅ  スクロールキー
８  マイクロホン
９  イヤホンジャック
１０  レリーズスイッチ
１１  電源スイッチ
１２  録音スイッチ
１３  連写モード切り換えスイッチ
１５  赤目軽減ランプ
１６  測光素子
１７  測色素子
２０  ＣＣＤ
２１  バッテリ
２２  コンデンサ
２３  回路基板
２４  メモリカード
２５  ＬＣＤスイッチ
２６  ファインダ内表示素子
３０  レンズ駆動回路
３１  画像処理部
３２  アナログ／デジタル変換回路
３３  デジタルシグナルプロセッサ（ＤＳＰ）
３４  ＣＣＤ駆動回路
３５  フレームメモリ
３６  バッファメモリ
３７  ストロボ駆動回路
３８  赤目軽減ランプ駆動回路
３９  ＣＰＵ（モード選択手段、制御手段、検出手段）
４０  ファインダ内表示回路
４２  Ａ／ＤおよびＤ／Ａ変換回路
４５  タイマ
４８  インタフェース
５１  測光回路
５２  測色回路
５３  絞り駆動回路
５４  絞り
【図１】
0004038842.tif 000002
【図２】
0004038842.tif 000003
【図３】
0004038842.tif 000004
【図４】
0004038842.tif 000005
【図５】
0004038842.tif 000006
【図６】
0004038842.tif 000007
【図７】
0004038842.tif 000008
【図８】
0004038842.tif 000009
【図９】
0004038842.tif 000010
【図１０】
0004038842.tif 000011
【図１１】
0004038842.tif 000012
【図１２】
0004038842.tif 000013
【図１３】
0004038842.tif 000014
【図１４】
0004038842.tif 000015
【図１５】
0004038842.tif 000016
【図１６】
0004038842.tif 000017
【図１７】
0004038842.tif 000018
【図１８】
0004038842.tif 000019
【図１９】
0004038842.tif 000020
【図２０】
0004038842.tif 000021
【図２１】
0004038842.tif 000022
【図２２】
0004038842.tif 000023
【図２３】
0004038842.tif 000024